(57)【要約】      （修正有） 【課題】片手で位置決めが可能で、操作の効率及び利便性が向上する気管支鏡の引張コードのための制御機構を提供する。  【解決手段】ハンドル１の内部に枢着される回転輪２を含み、回転輪の上部に収容溝２１が設けられ、内部にスプリング３１の牽引ブロック３が設けられる。ハンドルの上方に位置する制御シート４の連結棒４１はハンドルにおける対向する位置の長溝孔１２を貫通して、牽引ブロックと係合されて連動する。二本の引張コードの近端部が制御機構の回転輪に延在するように結合される。制御シートを押圧して、前後移動方式で引張コードを連動させて変位させ、カテーテルの遠端部を異なる方向へ湾曲させる。押圧する指を外すと、カテーテルの遠端部を所望の角度に位置決めすることができる。  【選択図】図２
0003215550.tif 000002
【実用新案登録請求の範囲】
【請求項１】
気管支鏡のハンドルの内部に設けられる気管支鏡の引張コードのための制御機構において、  
該制御機構は、ハンドルの内部空間に枢着されて、回転可能な構造となり、上部に収容溝が設けられる回転輪と、回転輪の収容溝内に設けられ、下方にスプリングが設けられ、その上部が円弧状に設けられ、また中心孔が設けられ、その上部にまた滑り止めシート結合される牽引ブロックとを含み，  
回転輪の上部に対するハンドルの一部は球面体構造として設けられ、また縦型長溝孔が設けられ、  
制御シートは、ハンドルの球面体の上方に設けられ、その下方に連結棒が設けられ、該連結棒は球面体における長溝孔を貫通して、下方の牽引ブロックの中心孔と結合し、  
気管支鏡の二本の引張コードの近端部は制御機構の回転軸に延在するように結合されることを特徴とする気管支鏡の引張コードのための制御機構。  
【請求項２】
制御シートを押圧して前後に移動させる時、牽引ブロックを連動させて回転輪を動かして回転させ、引張コードの相対位置を変え、更に気管支鏡のカテーテルの遠端部を湾曲させることができることを特徴とする  
請求項１に記載の気管支鏡の引張コードのための制御機構。  
【請求項３】
制御シートが押圧されない時、スプリングの上向きの弾力により牽引ブロックにおける滑り止めシートをハンドルの球面体の内表面に密着させ、回転輪、引張コード及びカテーテルの遠端部をいずれも安定した位置決め状態にすることを特徴とする  
請求項１に記載の気管支鏡の引張コードのための制御機構。  
【考案の詳細な説明】
【技術分野】
【０００１】
本考案は気管支鏡の引張コードのための制御機構であり、主に簡単な制御機構を提供する。ハンドルの上方の制御シートを移動することで引張コードを動かして変位させ、気管支鏡のカテーテルの遠端部を連動させて揺動または湾曲させるという効果を達成することができる。特に位置決め構造の設計により、遠端部の揺動の制御範囲を決め、操作の利便性を向上させることができ、進歩性及び実用性を有する。
【背景技術】
【０００２】
気管支鏡は、一般的には人体の内部に伸び込むための細長いカテーテルを含む。該カテーテルの遠端部に、ヒトの体腔内の映像を撮って外部のスクリーンに伝送して、医療従事者による直接観察又は治療に供するための撮影モジュールが結合される。人体の内部の角度の異なる位置の映像を取得するために、カテーテルの遠端部に湾曲可能なホース部が設けられる。二本の引張コースでその揺動を制御し、撮影モジュールを連動させて方向転換させ、角度の異なる複数の腔内映像を取得する。  
【０００３】
早期の引張コードを連動させる構造は気管支鏡の近端部のハンドルの上部に設けられる。ハンドルにユーザによる操作可能なノブ機構が設けられる。それにより引張コードを連動させてカテーテルの遠端部の揺動を制御するが、両手で制御する必要がある。即ち、一つの手でハンドルを把持して、別の手でロック又は締め付け動作を実行しなければ、カテーテルの遠端部の湾曲角度を位置決めすることができないため、かなり不便である。  
【０００４】
その後、片手で操作する制御機構の改良された設計が出現された。例えば中国の出願第２００９８０１５３９７２．１号の""内視鏡湾曲段のための制御機構""である特許文献において、ハンドルの外部に変位可能なボタンが設けられ、それを利用して内部の横棒部材を連動させて引張コードを動かして移動させることで、気管支鏡のチューブ体の遠端部の揺動を制御する。該制御機構の操作はやはり不便である。作業者がボタンを移動させてカテーテルの遠端部を所定の位置まで湾曲させた時、ボタンをロックするために係合機構を更に押圧する必要がある。カテーテルの遠端部の角度を変える必要がある時、更にアンロック動作を実行する必要がある。映像の観察及び手術に常に精神を集中する医者に対して、不都合を必然的に引き起こす。従来の特許が要求する片手による操作の目的を達成しにくいため、改良を必要とする。  
【考案の概要】
【０００５】
本考案は、気管支鏡の引張コードのための制御機構であり、主に簡単な制御機構を提供する。ハンドルの上方の制御シートを移動することで引張コードを動かして変位させ、気管支鏡のカテーテルの遠端部を連動させて揺動または湾曲させることができる。その構造は、主に、ハンドルの内部に枢着される回転輪を含む。回転輪の上部に収容溝が設けられ、内部にスプリングの牽引ブロックが設けられる。ハンドルの上方に位置する制御シートの連結棒はハンドルにおける対向する位置の長溝孔を貫通して、牽引ブロックと係合されて連動する。二本の引張コードの近端部は制御機構の回転輪に延在するように結合される。従って、制御シートを押圧して、前後移動の方式で容易に操作して引張コードを連動させて変位させ、更にカテーテルの遠端部を異なる側へ湾曲させるという目的を達成する。押圧する指を外すと、カテーテルの遠端部を該角度に位置決めすることができ、著しい進歩性を取得する。  
【図面の簡単な説明】
【０００６】
【図１】図１は本考案の気管支鏡のハンドルの外観を示す立体図である。
【図２】図２は本考案の気管支鏡のハンドル及び制御機構を示す分解立体図である。
【図３】図３は本考案の図１の断面図である。
【図４】図４は本考案の図３の押圧後の状態を示す図である。
【図５】図５は本考案の図４のように制御シートを前後に移動させる実施例の状態を示す図である。
【図６】図６は本考案の図４のように制御シートを前後に移動させる実施例の状態を示す図である。
【考案を実施するための形態】
【０００７】
図１〜３を参照する。本実施例は気管支鏡の引張コードのための制御機構である。主にハンドル（１）の内部に設けられる。その構造は、ハンドル（１）の内部空間に枢着されて回転可能な構造として形成される回転輪（２）を含む。回転輪（２）の上部に収容溝（２１）が設けられ、溝内にスプリング（３１）及び牽引ブロック（３）が設けられる。牽引ブロック（３）の上部は円弧状に設けられ、また円弧状滑り止めシート（３２）が結合される。回転輪（２）の上部に対するハンドル（１）の一部は球面体（１１）として設けられ、また縦型長溝孔（１２）が設けられる。制御シート（４）はハンドル（１）の球面体（１１）の上方に設けられ、下方に連結棒（４１）が設けられ、連結棒（４１）が長溝孔（１２）を貫通して、下方の牽引ブロック（３）の中心孔（３３）と結合するようにさせるため、制御シート（４）の移動により牽引ブロック（３）を制御して回転輪（２）を動かして回転させることができる。また、気管支鏡の二本の引張コード（５）の近端部は制御機構の回転輪（２）に延在するように結合される。  
【０００８】
使用時、作業者は制御シート（４）を容易に押圧し、牽引ブロック（３）によりスプリング（３１）を下へ圧縮し、滑り止めシート（３２）を球面体（６）の内表面から離れさせる。図４に示されるように、気楽に操作することで制御シート（４）を制御して前後に移動させ、回転輪（１）を連動させて正逆転させ、二本の引張コード（５）の相対位置を変え、更にカテーテルの遠端部を異なる方向へ湾曲させるという目的を達成する。図５、６に示されるように、このような操作方法で作業者は片手で容易に実行することができる。非常に容易であり、気を散らす必要がない。カテーテルの遠端部を制御して特定の角度まで湾曲させた時、押圧した手を外すと、スプリング（３１）が復帰力により牽引ブロック（３）を上へ押し上げ、滑り止めシート（３２）を球面体（１１）の内表面に密着させ、図３に示す位置に戻らせ、ブレーキのような位置決め効果を得ることができる。回転輪（３）は該位置に固定される時、カテーテルの遠端部を該湾曲角度に位置決めするという効果を達成することができる。作業者は心配をかけずに該角度で取得された映像の観察及び医療行為に専念することができる。それにより本考案の実用性及び進歩性を達成する。  
【０００９】
要するに、本考案における改良された制御機構は、作業者の片手で気管支鏡のカテーテルの遠端部を制御して湾曲または揺動させることを実現することができるため、決めた湾曲角度及び位置に容易に固定することができる。その効果は従来の設計に比べて、極めて高い進歩性及び実用性を有する。  
【符号の説明】
【００１０】
（１）  ハンドル、（１１）  球面体、（１２）  長溝、（２）  回転輪、（２１）  収容溝、（３）  牽引ブロック、（３１）  スプリング、（３２）  滑り止めシート、（３３）  中心孔、（４）  制御シート、（４１）  連結棒、（５）引張コード
【図１】
0003215550.tif 000003
【図２】
0003215550.tif 000004
【図３】
0003215550.tif 000005
【図４】
0003215550.tif 000006
【図５】
0003215550.tif 000007
【図６】
0003215550.tif 000008